(57)【要約】【課題】蓋の差し込みの位置決めを可能にすると共に、包装箱と緩衝材との間に隙間を作るための機能を持たせること。【解決手段】包装箱１００の蓋部１１０に連接する差し込み片１１１の形状が、横幅の異なる２段階の形状で構成されて、蓋部１１０に連接する差し込み片１１１の先端側１１１ａに設けている形状１１２と前面手掛け部１４１の切り欠きＡの形状１４２が、両方合わせるとほぼ同形状の曲線形状である。また、差し込み片１１１の両端に各々３個の曲線形状部１１２、１１３、１１４を設けている。蓋の差し込み片１１１の先端側１１１ａの長さｙと前面手掛け部１４１の切り欠きＡの形状１４２の長さｘとの関係は、ｙ≧ｘとなる。蓋部１１０を閉める際に差し込み片１１１の先端側１１１ａが、緩衝材２１０の縁２１１を押す機能を設けている。緩衝材２１０にリブが有る場合は、差し込み片１１１の先端側１１１ａの凸部幅Ｚと緩衝材２１０のリブ２１２、２１３のリブ間の幅Ｐの長さ関係はＺ＞Ｐとなる。【選択図】図１
2016003028.tif 000002
【特許請求の範囲】
【請求項１】
蓋部１１０に連接する差し込み片１１１の形状が、横幅の異なる２段階の形状で構成されていることを特徴とする包装箱。
【請求項２】
蓋部１１０に連接する差し込み片１１１の先端側１１１ａに設けている形状１１２と前面手掛け部１４１の切り欠きＡの形状１４２が、両方合わせるとほぼ同形状の曲線形状であることを特徴とする請求項１に記載の包装箱。
【請求項３】
差し込み片１１１の両端に各々３個の曲線形状部１１２、１１３、１１４を設けていることを特徴とする請求項１又は請求項２に記載の包装箱。
【請求項４】
蓋部１１０に連接する差し込み片１１１の先端側１１１ａの長さｙと前面手掛け部１４１の切り欠きＡの形状１４２の長さｘとの関係は、ｙ≧ｘとなることを特徴とする請求項１又は請求項２に記載の包装箱。
【請求項５】
蓋部１１０を閉める際に差し込み片１１１の先端側１１１ａが、緩衝材２１０の縁２１１を押す機能を設けていることを特徴とする請求項１又は請求項２に記載の包装箱。
【請求項６】
緩衝材２１０にリブが有る場合は、差し込み片１１１の先端側１１１ａの凸部幅Ｚと緩衝材２１０のリブ２１２、２１３のリブ間の幅Ｐの長さ関係はＺ＞Ｐとなることを特徴とする請求項５に記載の包装箱。
【発明の詳細な説明】
【技術分野】
【０００１】
本発明は、本体や付属品などを収納する包装箱において、包装箱の蓋閉めに関するものである。
【背景技術】
【０００２】
精密機器を収納する包装箱は、その収納物を保護するために使用される。その収納物には製品及び付属品や使用説明書などがあり、それらの収納に関しては、製品及び付属品を緩衝材で保護する方法が採られることが多い。その際に製品を保護するために緩衝材が必要となるが、運送時の振動に対する保護のため緩衝材は箱に対して隙間（ガタ）がない方がよい。
【０００３】
しかし、隙間が少なくなると、図５のように包装箱の内側に緩衝材が密着して、包装箱の蓋閉めをする際に蓋の差し込み片が緩衝材に当たって、図６のように蓋閉めが困難となる。このような場合、包装箱の手掛け部の隙間より緩衝材を指などで押しながら蓋を閉める方法が採られることがある。しかし、この方法は指を挟むなどの事態を引き起こす可能性があり、細い隙間に入れるため作業性も非常に良くないなどの問題点がある。このように、緩衝材を押しながら蓋閉めを行う作業は困難であった。
【０００４】
そこで、包装箱の縁部を下げ、収納物を露出させ出し入れし易くすることが考えられる。このように包装箱の開口部前面の縁部を下げた形態は、既に特許で開示されている（特許文献１参照）。
【先行技術文献】
【特許文献】
【０００５】
【特許文献１】特開平１１−２７８４５９号公報（第４頁、図１）
【発明の概要】
【発明が解決しようとする課題】
【０００６】
この場合、特許文献１は、前壁部材の上縁を左右壁部材の上縁の高さより低い下がり縁部として収納物を容易に出し入れ出来ることを特徴とする構成について開示されている。しかし、この方法を用いた場合は縁部が全体に切り欠かれているため蓋が簡単に開く、かつ、角の強度が弱い、また、蓋を閉める時は下がり縁部に当たってしまうため、プラスチックシート成型パッキンのような弾力性があり隙間が出来ない構造の緩衝材では、蓋を差し込む際に隙間が作れないため、うまく閉めることができない。また、特許文献１の構成であると蓋閉めの際に包装箱の開口部が広く、蓋の差し込み部が左右に振れてしまう。そのため、差し込み位置が容易に定まらず合わせづらい。
【０００７】
本発明は、包装箱の蓋閉めの際に差し込み位置合わせを容易にすると共に、切り欠きは一部のため蓋はしっかり閉まり、かつ、角は三面有り強い。また、中心を押すだけで当たらずに閉められるようにして、包装箱と緩衝材との間に隙間を作るための機能を持たせることを課題とするものである。
【課題を解決するための手段】
【０００８】
上記課題を解決するための手段として、請求項１記載の包装箱は、蓋部１１０に連接する差し込み片１１１の形状が、横幅の異なる２段階の形状で構成されていることを特徴とする。
【０００９】
請求項２記載の包装箱は、上記手段において、蓋部１１０に連接する差し込み片１１１の先端側１１１ａに設けている形状１１２と前面手掛け部１４１の切り欠きＡの形状１４２が、両方合わせるとほぼ同形状の曲線形状であることを特徴とする。
【００１０】
また、差し込み片１１１の両端に各々３個の曲線形状部１１２、１１３、１１４を設けていることを特徴とする。
【００１１】
請求項３に記載の包装箱は、上記手段において、蓋の差し込み部の長さｙと前面手掛け部１４１の切り欠きの長さｘとの関係は、ｙ≧ｘとなることを特徴とする。
【００１２】
請求項４に記載の包装箱は、上記請求項１および２および３の手段において、蓋部１１０を閉める際に差し込み片１１１の先端側１１１ａが、緩衝材２１０の縁２１１を押す機能を設けていることを特徴とする。
【００１３】
さらに、緩衝材２１０にリブが有る場合は、差し込み片１１１の先端側１１１ａの凸部幅Ｚと緩衝材２１０のリブ２１２、２１３のリブ間の幅Ｐの長さ関係はＺ＞Ｐとなることを特徴とする。
【発明の効果】
【００１４】
本発明によれば、従来の包装箱に比べて、以下の効果が得られる。包装箱の蓋部に連接する差し込み片の両端形状を、２段階の曲線形状で構成して、差し込み片の先端側（１段目）に設けている曲線形状と包装箱の前面手掛け部の切り欠きの形状を、両方を合わせるとほぼ同形状としたことによって、差し込みの際にガイドの役割をするとともに前面手掛け部の切り欠きの長さに対して、蓋の差し込み部の長さを長くしていることにより、前面手掛け部の下面を捕らえて滑らせることができるため、位置合わせが容易にできる。また、差し込み片の両端に各々３個の曲線形状部を設けていることにより、緩衝材に引っかかることなく差し込むことができる。
【００１５】
また、包装箱の蓋部に連接する差し込み片の両端形状を、２段階の曲線形状で構成して、差し込み片の先端側（１段目）に設けている曲線形状と包装箱の前面手掛け部の切り欠きの形状を、両方を合わせるとほぼ同形状としたことによって、差し込み片の１段目の先端部分が、弾力性のある緩衝材を押すことで、包装箱と緩衝材との間に隙間を作り、差し込みが容易にできる。さらに緩衝材にリブが有る場合は、差し込み片の先端側（１段目）凸部幅がリブ間の幅よりも長くしてあることにより、弾力性のある緩衝材のリブ間を確実に押すことができるため、包装箱と緩衝材との間に隙間を作り、差し込みが容易にできる。
【図面の簡単な説明】
【００１６】
【図１】この発明の実施の形態に係る包装箱を示す概略斜視図である。
【図２】この発明の実施の形態に係る包装箱の概略展開図である。
【図３】この発明の実施の形態に係る包装箱の蓋閉め動作の斜視図である。
【図４】この実施の形態に係る梱包箱の断面図である。
【図５】従来の包装箱の斜視図である。
【図６】従来の包装箱の断面図である。
【発明を実施するための形態】
【００１７】
以下、この発明の実施の形態を添付図面に基づいて説明する。ここで、図１は、包装箱１００を示す斜視図である。図２は、包装箱１００を示す展開図である。包装箱１００は、緩衝材２１０により、図示しない収納物を保護する機能を有する。緩衝材２１０は、プラスチックシートをたとえば真空成型などにより成型したもので、シート全体による弾性で収納物を保護する機能を有している。包装箱１００は蓋部１１０と、右側面部１２０と、左側面部１３０と、前面部１４０と、後面部１５０と底面部１６０とを有する。
【００１８】
蓋部１１０は、収納物が包装箱１００からの飛び出しを防止する機能も有する。蓋部１１０は、後述する後面部１５０と開閉可能に連接する。蓋部１１０は、差し込み片１１１を有する。
【００１９】
差し込み片１１１は、包装箱１００の内部に差し込むために使用される。そのため、差し込み片１１１は、折り曲げ可能に蓋部１１０の先端に連接している。差し込み片１１１は、横幅の異なる２段階の形状で構成されている。差し込み片１１１の先端側１１１ａに設けている形状１１２は、後述する前面部１４０の前面手掛け部１４１の切り欠きＡの形状１４２と合わせた形がほぼ同形状の曲線形状である。その結果、後述する緩衝材２１０の縁２１１を面で押圧することができる。また、差し込み片１１１の両端に各々３個の曲線形状部１１２、１１３、１１４を設けている。曲線形状１１２は、前述のとおりで、曲線形状１１３は、差し込み途中での緩衝材との引っ掛かりを防ぐものである。曲線形状１１４は、差し込みの最後まで緩衝材に滑らかに押圧を加えられることができる。その結果、包装箱１００と緩衝材２１０との間に隙間を作ることができる。
【００２０】
また、差し込み片１１１は、掛止用切込み１１５、１１６を有している。掛止用切込み１１５、１１６は、差し込み片１１１が抜けないように、後述する内フラップ部１２１、１３１の掛止め１２２，１３２に引掛ける機能がある。
【００２１】
右側面部１２０は、図２に示すように、後述する前面部１４０及び第４の底面部材１６４と連接している。また、組み立てられた包装箱１００においては、後述する接続部１５１を介して、後述する後面部１５０と連接する。また、右側面部１２０は、内フラップ部１２１を有する。
【００２２】
内フラップ部１２１は、包装箱１００の内部を密封するために形成される。つまり、内フラップ部１２１は、外部からの埃やゴミなどの侵入を防ぐ。また、内フラップ部１２１は、収納物を覆った包装袋などが蓋部１１０と右側面部１２０との間に挟まることを防止する。さらに、内フラップ部１３１は、掛止め１３２を有する。掛止め１３２は、差し込み片１１１が抜けないように掛止用切込み１１５を引掛ける機能がある。尚、内フラップ部１２１は、右側面部１２０と連接しており、係る連接部分から折り曲げることができる。
【００２３】
左側面部１３０は、図２に示すように、後述する前面部１４０、後面部１５０及び第２の底面部材１６２と連接している。また、左側面部１３０は、内フラップ部１３１を有する。
【００２４】
内フラップ部１３１は、包装箱１００内部を密封するために形成される。つまり、内フラップ部１３１は、外部からの埃やゴミなどの侵入を防ぐ。また、内フラップ部１３１は、収納物を覆った包装袋などが蓋部１１０と左側面部１３０との間に挟まることを防止する。さらに、内フラップ部１３１は、掛止め１３２を有する。掛止め１３２は、差し込み片１１１が抜けないように掛止用切込み１１６を引掛ける機能がある。尚、内フラップ部１３１は、左側面部１３０と連接しており、係る連接部分から折り曲げることができる。
【００２５】
前面部１４０は、図２に示すように、右側面部１２０、左側面部１３０及び後述する第３の底面部材１６３と連接している。また、前面部１４０は、前面手掛け部１４１と、壁部１４５とを有している。
【００２６】
前面手掛け部１４１は、前述の蓋部１１０に連接する差し込み片１１１先端側１１１ａの曲線形状１１２と合わせた形がほぼ同形状で、切り欠きＡの形状１４２を設けてある。これは、図３の蓋閉め動作の図に示すように、蓋閉め動作５００により、蓋部１１０に連接する差し込み片１１１の先端側１１１ａの曲線形状１１２が、前面手掛け部１４１の下面を捕らえて滑らせ、前面手掛け部１４１の切り欠きＡの形状１４２と合致したところから、蓋閉め動作５０１の方向に押圧して包装箱１００内部の緩衝材２１０の縁２１１を押す機能を設けるためである。これによって、図４に示すように緩衝材２１０の縁２１１が押されて緩衝材２１０と包装箱１００の間に隙間をつくることができる。蓋閉め動作５０２のように差し込み片１１１を挿入し易くすることができる。
【００２７】
ここで、前面手掛け部１４１は前面部１４０の上端から、ｘの長さ（距離）を有して設けてある。また、前述の差し込み片１１１先端側１１１ａは、ｙの長さ（距離）を有して設けてある。この場合、距離ｘと距離ｙとの関係は、距離ｙは距離ｘよりも長く設けてある。なぜなら、距離ｙが距離ｘよりも短ければ、差し込み片１１１の先端側１１１ａが、前面手掛け部１４１の下面に接触しないからである。その結果、差し込み片１１１先端側１１１ａの曲線形状１１２が、前面手掛け部１４１の下面を捕らえて滑らせることができなくなるという問題が生じる。
【００２８】
また、リブを有した緩衝材の場合には、図１に示すように、差し込み片１１１の先端側１１１ａの凸部幅Ｚと緩衝材２１０のリブ２１２と２１３のリブ間の幅Ｐとの長さ関係は、差し込み片１１１の先端側１１１ａの凸部幅Ｚが緩衝材２１０のリブ間の幅Ｐよりも大きく設けてある。なぜなら、差し込み片１１１の先端側１１１ａの凸部幅Ｚがリブ間の幅Ｐに対して短い場合には、リブ２１２と２１３を押せないからである。その結果、緩衝材２１０と包装箱１００の間に隙間を作ることができなくなるという問題が生じる。
【００２９】
壁部１４５は、前面部１４０から、前面手掛け部１４１切り欠きＡの形状１４２を切り欠いた残りの部分である。壁部１４５は、差し込み片１１１が差し込まれたあと、左右の内フラップ１２１、１３１にある掛止め１２２、１３２により掛止めされた差し込み片１１１を前面側から押えて、より確実に固定できる。
【００３０】
後面部１５０は、図２に示すように、蓋部１１０、左側面部１３０及び後述する第１の底面部材１６１と連接している。また、後面部１５０は、接続部１５１を有し、接続部１５１を介して右側面部１２０と接続されている。尚、接続部１５１は、例えば、接着剤が塗布され、かかる接着剤によって後面部１５０と右側面部１２０とを接着する。
【００３１】
底面部１６０は、図２に示すように、第１の底面部材１６１、第２の底面部材１６２、第３の底面部材１６３及び第４の底面部材１６４を有する。底面部１６０は、第１の底面部材１６１、第２の底面部材１６２、第３の底面部材１６３及び第４の底面部材１６４を組み合わせることで形成されている。
【００３２】
以上のように、包装箱１００の蓋部１１０に連接する差し込み片１１１の両端形状が、２段階の曲線形状で構成されていることと、蓋部１１０に連接する差し込み片１１１の先端側１１１ａに設けている形状１１２と、前面手掛け部１４１の切り欠き形状１４２が、合わせるとほぼ同形状であることにより、蓋部１１０に連接する差し込み片１１１の差し込みの際に前面手掛け部１４１の切り欠き形状１４２がガイドの役割をするとともに、前面手掛け部１４１の切り欠きＡの形状１４２の長さｘに対して、蓋部１１０の差し込み片１１１の先端側１１１ａの長さｙを長くしてあることにより、前面手掛け部１４１の切り欠きＡの形状１４２の下面を捕らえて滑らせることができるため、差し込み片１１１の差し込み位置を容易に定めることができる。
【００３３】
また、包装箱１００の蓋部１１０に連接する差し込み片１１１の両端形状が、２段階の曲線形状で構成されていることと、蓋部１１０に連接する差し込み片１１１の先端側１１１ａに設けている曲線形状１１２と前面手掛け部１４１の切り欠き形状１４２が、合わせるとほぼ同形状であることにより、差し込み片１１１の先端側１１１ａが、弾力性のある緩衝材２１０の縁２１１を押すことで、包装箱１００と緩衝材２１０との間に隙間を作り、差し込みが容易にできる。さらにリブを有している緩衝材２１０の場合においても、差し込み片１１１の先端側１１１ａの凸部幅Ｚが緩衝材２１０のリブ間の幅Ｐよりも長くしてあるため、弾力性のある緩衝材２１０のリブ２１２、２１３を確実に押すことができる。その結果、蓋閉めが容易な包装箱を提供することができる。
【００３４】
また、前面部１４０に壁部１４２を有しているため、蓋部１１０を十分に固定することができる。
【符号の説明】
【００３５】
１００  包装箱、１１０  蓋部、１１１  差し込み片、１１１ａ  差し込み片の先端側、
１１１ｂ  差し込み片の後端側、１１２  差し込み片の曲線形状部、
１１３  差し込み片の曲線形状部、１１４  差し込み片の曲線形状部、
１１５  差し込みフラップ部の掛止用切込み、
１１６  差し込みフラップ部の掛止用切込み、１２０  右側面部、
１２１  内フラップ部、１２２  内フラップ部の掛止め、１３０  左側面部、
１３１  内フラップ部、１３２  内フラップ部の掛止め、１４０  前面部、
１４１  前面手掛け部、１４２  切り欠き部の曲線形状部、
１４３  切り欠き部の曲線形状部、１５０  後面部、１５１  接続部、１６０  底面部、
１６１  第１の底面部材、１６２  第２の底面部材、１６３  第３の底面部材、
１６４  第４の底面部材、２１０  緩衝材、２１１  縁、２１２  緩衝材のリブ、
２１３  緩衝材のリブ、２５０  緩衝材、４００  収納物、５００  蓋閉め動作、
５０１  蓋閉め動作の方向、５０２  緩衝材と箱の隙間に挿入する動作、
ｘ  前面手掛け部１４１の切り欠きの長さ、
ｙ  差し込み片の先端側１１１ａの長さ、
Ｚ  差し込み片１１１の先端側１１１ａの凸部幅、
Ｐ  緩衝材２１０のリブ２１２と２１３のリブ間の幅
【図１】
2016003028.tif 000003
【図２】
2016003028.tif 000004
【図３】
2016003028.tif 000005
【図４】
2016003028.tif 000006
【図５】
2016003028.tif 000007
【図６】
2016003028.tif 000008